(57)【特許請求の範囲】
【請求項１】
取付け体に軸支され、かつ可動のロックピンを有するラッチ部材用係止レバーと、取付け体の内部に配設された駆動手段と、取付け体側の固定ガイド筒に設けられた作動ピンとを有し、閉扉時、前記ラッチ部材が係止レバーに係合した時、前記駆動手段の作動杆の直線移動により前記ロックピンが軸方向へ位置変位して係止レバーをロックするドアストライク装置に於いて、前記係止レバーの回転に連動して位置変位し、かつ前記作動ピンの軸方向の移動を阻止する規制片を取付け体の内部に配設したことを特徴とするドアストライク装置。
【請求項２】
請求項１に於いて、規制片は、係止レバーのロックアームに添設するように取付け体に軸支され、作動ピンを規制するとき、前記係止レバーに押し込まれながらその突出先端部が係止レバー側のロックピンと置換することを特徴とするドアストライク装置。
【請求項３】
請求項１に於いて、作動ピンは、少なくとも１つ以上であり、また、一つの枠状の作動片がプランジャーの先端部に固定的に取付けられ、プランジャー側の作動ピンをプランジャーの伸長方向へ押圧する第１押圧部と、取付け体の一側壁側の作動ピン或いはロックピンをプランジャーの収縮方向へ押圧する第２押圧部とを有することを特徴とするドアストライク装置。
【請求項４】
請求項１に於いて、係止レバーのロックアームの連設基端部には、規制片を押し込むことが可能なカム部が段差状に突出形成されていることを特徴とするドアストライク装置。
【発明の詳細な説明】
【技術分野】
【０００１】
本発明は、戸枠に取付けられるドアストライク装置に関する。
【背景技術】
【０００２】
特許文献１には、ソレノイドを利用したロック装置が記載されている。このロック装置は、建物の扉を係止レバー及びラッチボルトを介してロックするために戸枠の縦枠や柱の凹所に組み込まれるドアストライク装置である。付言すると、ドアストライク装置は、ドアの自由端部に設けたラッチボルトと係脱する係止レバーを有する。
【０００３】
そして、この係止レバーの施錠（ロック）及び解錠（アンロック）は、建物の壁面や適宜箇所に設けられた制御装置を介してソレノイドを駆動させる（遠隔操作）ことにより実行される。
【０００４】
図２０は、特許文献１のドアストライク装置の分解斜視図である。ここで、図２０を参照にして、ドアストライク装置の構成を説明する。
【０００５】
１は戸枠の縦枠や柱の凹所に縦方向に組み込まれるケース状の取付け体である。この取付け体１は正面（前面）と背面（底面）が開口すると共に、一側壁に切欠部分を有する角型のケースである。２は取付け体１の背面側に固定される底壁部材である。一方、３は取付け体１の正面側に固着具４を介して固定される前板である。取付け体１と底壁部材２と前板３には、不番のフラット部分、切欠部分、ネジ穴部分、軸孔等が適宜に形成されている。
【０００６】
また、取付け体１と底壁部材２と前板３が一体的に合体すると、主たる部材を組み込むための収納部（チヤンバ）５が形成される。この収納部５の中にＬ型の支持片、係合ナット、電線、信号線等を備えたソレノイド（駆動手段）６が縦状態に組み込まれる。この実施例では、ソレノイド６は取付け体１の垂直側壁１ａに設けられた垂直長孔７、調整ボルト８等を介してプランジャー（作動杆）９の軸方向に位置調整可能である。
【０００７】
また、取付け体１の垂直側壁１ａとは反対側には、凹所形状の受け部分１０が突出形成されている。この受け部分１０には係止レバー１１が傾倒して支持される。係止レバー１１の内側はラッチ部材の係止面、一方、その外側はラッチ部材の摺接面である。
【０００８】
付言すると、係止レバー１１は、解錠時、前記受け部分１０に支持されるように軸１２を介して取付け体１の開口部に軸支されている。係止レバー１１は、長板状の係止部分１３と、この係止部分の両端部から突出する上下一対の支持腕１４とを有している。前記支持腕１４は取付け体１の上下の側壁に横設軸架された軸１２に軸支されている。そして、係止レバー１１は、軸１２に設けられた付勢バネ１５のバネ力により、常にラッチボルトを係止する位置に付勢されている。
【０００９】
上記のドアストライク装置の目的は、ソレノイド６に電源が供給されていなくても、調整機構（垂直長孔７、調整ボルト８）によってソレノイド６の位置を調整することができることである。ソレノイド６の位置を調整する理由は、ロック手段の作動の不具合が発生した場合やソレノイド６の仕様を変更した場合である。例えば図示しないロック手段を構成する複数個の作動ピンが固定ガイド筒からズレ落ちた場合には、ロック手段が作動しない。
【００１０】
ここで、図２１を参照にして特許文献１の取付け体１に組み込まれるロック手段の構成を説明する。図２１は特許文献２の図６に相当する。この特許文献２に記載のドアストライク装置の基本的構成は、特許文献１と同一である。ケース状の取付け体１Ａの収納部５Ａにソレノイド６Ａが縦方向に設けられている。
【００１１】
また、取付け体１Ａの内部には、ソレノイド６Ａのプランジャー９Ａの前方（例えば下方）に位置するように合計二個の固定ガイド筒１６が離間して延びている。これらのガイド筒１６には、合計２個の作動ピン１９、２１がプランジャー９Ａの軸方向に移動可能にそれぞれ設けられている。
【００１２】
さらに、符号１７は、コ字形状係止レバー１１Ａの底部から延在し、かつ前記ガイド筒１６の隙間１８に嵌入可能なロックアームで、このロックアーム１７は、その嵌入部分（割り込み部分）に可動のロックピン２０を有している。
【００１３】
そして、閉扉時、前記係止レバー１１Ａが扉側のラッチボルトを係止しているときに於いて、前記ロックピン２０を含む作動ピン１９、２１の位置が前記ソレノイド６Ａの駆動力によりプランジャー９Ａの軸方向へ変位すると、少なくともロックピン２０がガイド筒１６に入り込むので、係止レバー１１Ａは該ロックピン２０によりロックされる。
【００１４】
付言すると、特許文献２に記載のロック手段は、取付け体１Ａの内部に配設されたソレノイド６Ａと、閉扉時に取付け体１Ａの内部で軸方向に整列する複数の作動ピン１９、２１及びロックピン２０とから成り、施錠時、前記ソレノイド６Ａのプランジャー９Ａが直線移動すると、前記ロックピン２０が軸方向へ位置変位して取付け体１Ａ側の固定ガイド筒１６に係入する。したがって、ラッチ部材は係止レバー１１Ａを介してロックされる。
【００１５】
ところで、特許文献２のロック手段の構成は、当業者によって非常に不明確である。特に、プランジャー９Ａの直線駆動によりピン（ロックピン２０を含む）が係止レバー１１Ａのロックアーム１７を放免する位置（非拘束の位置）へ移動した状態の場合に於いて、扉を開いたとき、係止レバー１１Ａが軸を支点にして外方向へ回転すると、ロックアーム１７のロックピン２０は、取付け体１Ａ側の複数個の作動ピン１９、２１から離れる。そのとき作動ピン１９が軸方向へ移動することが懸念される。
【００１６】
また、ドアストライク装置を戸枠に取付ける前に取付け体１Ａを逆様にすると、作動ピン２１の移動や落下が懸念される。さらに、外部からの切換え手段により、ソレノイド６Ａの仕様を変更した場合（例えば仕様を通電時解錠状態に変更した場合）にもソレノイド６Ａの位置如何によっては取付け体１Ａ側の作動ピン１９、２１の位置がズレたり、或いは作動ピンがガイド筒１６から抜ける可能性があった。
【特許文献１】米国特許明細書第６，２９９，２２５号
【特許文献２】米国特許明細書第５，２１９，１９６号
【発明の開示】
【発明が解決しようとする課題】
【００１７】
本発明の第１の目的は、特許文献２の問題点を解消することである（作動ピンの移動防止、作動ピンの落下防止）。第２の目的は、規制片が係止レバーと共働して確実にロックピンと置換することである。第３の目的は、作動杆の先端部に設けた一つの作動片により、ロックピンと作動ピンを所定の位置へと正確に位置変位させることができることである。第４の目的は、部品点数を少なくすることである。
【課題を解決するための手段】
【００１８】
本発明のドアストライク装置は、取付け体に軸支され、かつ可動のロックピンを有するラッチ部材用係止レバーと、取付け体の内部に配設された駆動手段と、取付け体側の固定ガイド筒に設けられた作動ピンとを有し、閉扉時、前記ラッチ部材が係止レバーに係合した時、前記駆動手段の作動杆の直線移動により前記ロックピンが軸方向へ位置変位して係止レバーをロックするドアストライク装置に於いて、前記係止レバーの回転に連動して位置変位し、かつ前記作動ピンの軸方向の移動を阻止する規制片を取付け体の内部に配設したことを特徴とする。
【００１９】
上記構成に於いて、規制片は、係止レバーのロックアームに添設するように取付け体に軸支され、作動ピンを規制するとき、前記係止レバーに押し込まれながらその突出先端部が係止レバー側のロックピンと置換することを特徴とする。
【発明の効果】
【００２０】
（ａ）取付け体側の固定ガイド筒に少なくとも１つ以上の作動ピンが嵌入している場合には、前述した特許文献２の問題点を解消することができる。
（ｂ）請求項２に記載の発明は、規制片が係止レバーと共働して確実にロックピンと置換する。
（ｃ）請求項３に記載の発明は、一つの枠状の作動片により、ロックピンと作動ピンを所定の位置へと正確に位置変位させることができる。また、部品点数を少なくすることができる。
（ｄ）請求項４に記載の発明は、規制片を確実に押し込むことができる。
【発明を実施するための最良の形態】
【００２１】
以下、図１乃至図１８に示す本発明を実施するための最良の形態により説明する。なお、本実施例の説明に当たって、特許文献１及び特許文献２に記載の構成と同一の部分には、便宜上、同一の符号を付し、重複する説明を割愛する。また、ラッチ部材が入り込む係合空間内に延在し、かつラッチ部材と接触可能なマイクロスイッチ用の可動接片は図面から省いている。
【００２２】
（１）発明の実施の環境
図１乃至図１８に於いて、Ｘはドアストライク装置で、このドアストライク装置Ｘは、環境図（図１８）で示すように戸枠２５の縦枠に固定的に取り付けられる。ドアストライク装置Ｘは、マイクロスイッチ、ソレノイド等を備え、電線コード、信号線等の接続手段２６を介して制御手段２７に電気的に接続されている。制御手段２７は建物の壁面等に設けられ、操作手段２８の入力信号を処理する。そして、ドアストライク装置Ｘは、扉Ｄの自由端部に設けられたラッチ部材Ｙと係脱する。以下、本発明の特定要件について順次説明するが、細部的な事項の説明を割愛する。
【００２３】
（２）ドアストライク装置Ｘの基本的な構成
図１はドアストライク装置Ｘの正面図、図２はカバー状の底壁部材を外したドアストライク装置Ｘの背面図である。
【００２４】
特許文献１及び特許文献２に記載の構成から明らかなように、本発明のドアストライク装置Ｘは、戸枠に固定される取付け体１と、この取付け体に軸支され、かつ可動のロックピン２０を有するラッチ部材用係止レバー１１と、取付け体１の内部に配設された駆動手段６と、取付け体側の固定ガイド筒１６に設けられた作動ピン１９，２１とを有し、閉扉時、前記ラッチ部材Ｙが係止レバー１１に係合した時、前記駆動手段６の作動杆９の直線移動により前記ロックピン２０が軸方向（本実施例では、プランジャー９が収縮する方向）へ位置変位して係止レバー１１をロックする（前提条件）。
【００２５】
（３）ドアストライク装置Ｘの特徴部分
ドアストライク装置Ｘの特徴部分（中核）は、係止レバー１１がアンロックの状態の場合にラッチ部材Ｙを介して外方向の回転した時、該係止レバー１１の回転に連動して位置変位し、かつ作動ピン１９，２１の軸方向の移動を阻止する規制片３１を取付け体１の内部に配設したことである。
【００２６】
特に、本実施例では、前記規制片３１は、取付け体１の内部に形成した或いは設けた軸受け部分３２に軸支されていると共に、係止レバー１１のロックアーム１７に添設されている。そして、記規制片３１は、前記作動ピン１９，２１を規制するとき、前記ロックアーム１７の押圧部分に押し込まれることにより、その突出先端部が固定ガイド筒側へと移動し、係止レバー側のロックピン２０と置換する。
【００２７】
（４）ソレノイド６、作動片３６
図３及び図４は本発明の要部を示す各概略説明図である。図３は規制片３１を示し、一方、図４はロックアーム１７のロックピン２０を示すために規制片３１を省いている。図３及び図４を対比すると明らかなように、規制片３１は、取付け体１の内部に形成した軸受け部分３２に軸支されていると共に、係止レバー１１のロックアーム１７の裏側に添設されている。
【００２８】
まず、ソレノイド６は、ケース状或いは枠状の取付け体１の内部に配設されている。本実施例では、取付け体１の垂直側壁１ａの内壁面に固定したベース板３４及び該ベース板３４に固定され支持片３５を介して取付け体１内に縦方向に設けられている。
【００２９】
次に、プランジャー９は軸方向に伸縮動する。このプランジャー９の突出先端部には、背面視チャンネル形状（図３、図４で示すコ字形状）の作動片３６が固定されている。またプランジャー９は、作動片３６の取付け基端部３６ａと前記支持片３５の先端部３５ａとの間に位置する付勢手段３６により突出する方向へ付勢されている。プランジャー９はソレノイド６が励磁されたとき（通電時）、付勢手段３７の付勢力に抗して後退する。
【００３０】
次に、図５及び図６は、作動片３６の一例を示す。図５は作動片３６の背面からの斜視図、図６は図５を基準とした左側面図である。この作動片３６は、プランジャー９の突出先端部の切欠溝に嵌め込まれ、かつ固定手段で固定される取付け基端部３６ａと、この取付け基端部３６ａと直交し、かつ取付け体１の垂直側壁１ａの内壁面及びベース板３４に案内される長板状の被ガイド部３６ｂと、この被ガイド部３６ｂと直交する作動ピン２１用の押圧部３６ｃと、この押圧部３６ｃに直交方向に連設するストッパー部３６ｄとから成る。
【００３１】
なお、前記取付け基端部３６ａの内側は、プランジャー９側の作動ピン１９を押圧する第１押圧部３８の機能を有する。一方、第１押圧部３８と対向する押圧部３６ｃの内側は、作動ピン２１をプランジャー９側に押圧する第２押圧部３９の機能を有する。
【００３２】
（５）係止レバー１１
図７〜図９は、係止レバー１１を示す各説明図である。図７は斜視図、図８は係止面側から見た説明図、図９は図８の９−９線断面図である。係止レバー１１は、従来例（図１９に示す係止レバー１１）と同様である。したがって、本実施例の係止レバー１１もラッチ部材Ｙが係脱する長板状の係止部分１３と、軸１２用の軸受け（従来の支持腕）１４とを有している。
【００３３】
しかして、本実施例の係止レバー１１は、従来例のそれとはいくつかの点が異なる。第１点は、前記軸受け１４が係止部分１３の内端部に直交状態に連設した長柱状に形成されていることである。
【００３４】
図８で示すように、この長柱状の軸受け１４の裏側或いは正面側には、付勢バネ１５用のバネ収納部４１を有する切欠部４２が軸方向に形成されている。前記係止レバー用付勢バネ１５は、軸１２に巻装された状態で係止レバー１１を、ラッチ部材用係合空間を形成する方向へと常に付勢している。
【００３５】
また、第２点は、図７で示すように、軸受け１４の一端部からロックアーム１７が前方へと所定量延びていることである。このロックアーム１７の先端部にはロックピン２０が軸方向へ移動可能に組み込まれている。ロックアーム１７は、図４で示すように取付け体１のガイド筒１６の隙間１８に嵌まり合うように延びている。そして、ロックアーム１７の連設基端部には、規制片３１を押し込むことが可能なカム部１７ａが段差状に突出形成されている（新規事項）。
【００３６】
（６）規制片３１
規制片３１は、係止レバー１１のロックアーム１７に添設するように取付け体１の内部に軸支され、上下の作動ピン１９、２１の動きを規制するとき、前記ロックアーム１７の基端部のカム部１７ａに押し込まれながらその突出先端部５４が係止レバー１１側のロックピン２０と置換する。
【００３７】
図１０〜図１２は規制片３１の各説明図である。図１０は規制片３１を逆様にした斜視図、図１１は図１０を基準とした平面図、図１２は図１１の１２−１２線断面図である。また、図１３〜図１５は、規制片３１の作用を示す各説明図である。さらに、図１６は、係止レバー１１側のロックピン２０が間隙１８から抜け、その抜けた場所（本実施例では間隙１８）に規制片３１の突出先端部５４が入り込んだ（割り込んだ）状態を示している。
【００３８】
さて、規制片３１は合成樹脂成形品である。図２で示すように背面視「ややプラスの形状」をしている。ここでは図１１を基準にして規制片３１の構成を説明する。
【００３９】
５１は背面部分に相当する連結部、５２は連結部５１の両端部に設けられ、かつ内側に一対の小さな突起軸５２ａを有する軸部、５３は連結部５１の後端面から若干突出する尻部、５４は尻部５３から鈍角状態に連設し、かつ前記連結部５１の先端面から指状に突出する突出先端部である。
【００４０】
しかして、前記軸部５２は材質自体の弾性力で外拡変位可能である。また、前記尻部５３には、図１３で示すようにロックアーム１７の基端部のカム部１７ａが当接する。そして、図１４及び図１５で示すように、係止レバー１１が外方向へと回転するとき、規制片３１はロックアーム１７のカム部１７ａで押し込まれる。この時、規制片３１は突起軸５２ａを支点にして回転する。
【００４１】
また、前記突出先端部５４の内壁面５４ａは、初期位置ではロックアーム１７の一辺に対して添設状態と成り、位置変位（移動）するとロックアーム１７の一辺から離れる。付言すると、規制片３１はロックアーム１７の背面側に被さった状態となり、突起軸５２ａを支点にしてロックアーム１７と共働（追動或いは連動）する。
【００４２】
（７）作用−解錠と施錠
図１７はロックアーム１７のロックピン２０が解錠位置から施錠位置へと変位する説明図である。
【００４３】
前述したように、コ字枠状の作動片３６は、プランジャー９の先端部に固定的に取付けられ、プランジャー９側の作動ピン１９をプランジャー９の伸長方向へ押圧する第１押圧面３８と、取付け体１の一側壁側の作動ピン２１をプランジャー９の収縮方向へ押圧する第２押圧面３９とを有する。
【００４４】
しかして、係止レバー１１のロックアーム１７を施錠（ロック）する場合には、図１８で示した制御手段２７は操作手段２８の操作信号を処理するから、ソレノイド６は通電状態と成る。これにより、プランジャー９は付勢手段３７の付勢力に抗して収縮（後退、矢印Ａ方向）する。そうすると、軸方向に整列する複数個の作動ピン（ロックピンも含む）１９、２０、２１は、作動片３６の第２押圧面３９に押された矢印Ａ方向に所定量移動する。その結果、ロックピン２０が一方のガイド筒１６に入り込むから、施錠状態と成る。なお、解錠状態の場合は逆の作動態様である。
【実施例】
【００４５】
発明の実施の形態で示した実施例（第１実施例）に於いて、取付け体１側の固定ガイド筒１６には合計２個の作動ピン１９、２１が間隙１８を介して軸方向に並列している。そして、図３で示すように、閉扉時、間隙１８内に入り込んだ係止レバー１１側のロックピン２０は、複数個の作動ピン１９、２１と一緒に整列する。
【００４６】
図１９は、作動ピン２１を減らした設計変更例である。これを便宜上本発明の要部を変更した第２実施例とする。この第２実施例では作動ピン２１を減らしたことから、枠状（例えばコ字形状）作動片３６Ａの第２押圧部３９Ａは、不番の固着具を介して固定された押圧ピンとなっている。
【００４７】
したがって、この第２実施例では、押圧ピン状の第２押圧部３９Ａは、取付け体１の側壁側の固定ガイド筒１６に嵌合し、かつ第１実施例の作動ピン２１と置換している。このように構成しても、本発明の本質的事項に変わりはない。なお、係止レバー１１側のロックピン２０は、磁性体である。
【産業上の利用可能性】
【００４８】
本発明は、主に錠前や建具の業界で利用される。
【図面の簡単な説明】
【００４９】
図１乃至図１８は本発明の最良の実施例を示す各説明図。
【図１】ドアストライク装置Ｘの正面図。
【図２】底壁部材を外したドアストライク装置Ｘの背面図。
【図３】要部を示す概略説明図（規制片３１を示す）。
【図４】要部を示す概略説明図（規制片３１を省略）。
【図５】作動片３６の背面からの斜視図。
【図６】図５を基準とした左側面図。
【図７】係止レバー１１の斜視図。
【図８】係止レバー１１を係止面側から見た説明図。
【図９】図８の９−９線断面図。
【図１０】規制片３１を逆様にした斜視図。
【図１１】図１０を基準とした平面図。
【図１２】図１１の１２−１２線断面図。
【図１３】規制片並びにロックピンの初期位置の概略説明図。
【図１４】規制片並びにロックピンの中途位置の概略説明図。
【図１５】ロックピンと規制片の突出先端部との位置が置換した概略説明図。
【図１６】図１５の場合の状態を斜視的に示した概略説明図。
【図１７】作用（解錠状態から施錠状態）の一例を示す概略説明図。
【図１８】環境説明図。
【図１９】本発明の要部を変更した第２実施例を示す概略説明図。
【図２０】特許文献１に記載の実施例の説明図。
【図２１】特許文献２に記載の実施例の説明図。
【符号の説明】
【００５０】
Ｙ…ラッチ部材、1…取付け体、２…底壁部材、３…前板、５…収納部、６…駆動手段、９…作動杆、１１…係止レバー、１２…軸、１３…係止部分、１６…固定のガイド筒、１７…ロックアーム、１７ａ…カム部、１８…間隙、１９…作動ピン、２０…ロックピン、２１…作動ピン、３１…規制片、３２…軸受け部分、３４…ベース板、３５…支持片、３６、３６Ａ…作動片、３７…付勢手段、３８…第１押圧部、３９、３９Ａ…第２押圧部、５２…軸部、５３…尻部、５４…突出先端部。
【図１】
0004974797.tif 000002
【図２】
0004974797.tif 000003
【図３】
0004974797.tif 000004
【図４】
0004974797.tif 000005
【図５】
0004974797.tif 000006
【図６】
0004974797.tif 000007
【図７】
0004974797.tif 000008
【図８】
0004974797.tif 000009
【図９】
0004974797.tif 000010
【図１０】
0004974797.tif 000011
【図１１】
0004974797.tif 000012
【図１２】
0004974797.tif 000013
【図１３】
0004974797.tif 000014
【図１４】
0004974797.tif 000015
【図１５】
0004974797.tif 000016
【図１６】
0004974797.tif 000017
【図１７】
0004974797.tif 000018
【図１８】
0004974797.tif 000019
【図１９】
0004974797.tif 000020
【図２０】
0004974797.tif 000021
【図２１】
0004974797.tif 000022